(57)【特許請求の範囲】
【請求項１】
カセット本体内に磁気テープを巻回して回動自在に取付けられた一対のリールと、前記カセット本体前面の開口部を開閉自在に覆うために取り付けられた開閉蓋とを備えた磁気テープカセットにおいて、
前記開閉蓋が、前記開口部に張架された磁気テープの前面側を覆う前蓋板と前記カセット本体の前面寄りの両側面部に軸支された前記前蓋板の両側から張り出した側板部とを備えたアウターリッドと、前記開口部に張架された磁気テープの上方を覆う上蓋板とこの上蓋板の前縁側の両端を前記前蓋板の上端縁に回動自在に連結する前蓋連結部と前記上蓋板の後端縁から延出したアーム部に突設されてカセット本体の両側面部に形成されている上蓋ガイド溝に摺動自在に係合する上蓋スライドピンとを備えたトップリッドと、前記開口部に張架された磁気テープの後面側を覆う内蓋板とこの内蓋板の上縁を前記上蓋板に回動自在に連結する上蓋連結部と前記内蓋板の下縁側両端部から突出してカセット本体の内側面部に形成されている内蓋ガイド溝に摺動自在に係合する内蓋スライドピンとを備えたインナーリッドとによって構成されており、
前記トップリッドの上蓋スライドピンは、少なくとも前記上蓋ガイド溝の摺動面に対して摺接する部分の断面形状が接触点における該摺動面の法線よりも移動方向前方側に傾斜した法線を有するような自由曲線として形成されていることを特徴とする磁気テープカセット。
【発明の詳細な説明】
【０００１】
【発明の属する技術分野】
本発明は、ビデオテープレコーダーの如き磁気記録再生装置やその他各種の情報処理装置等に使用される磁気テープカセットに関するもので、詳しくは、カセット本体前面の開口部を開閉自在に覆う開閉蓋が、３枚のリッドから構成される形式の磁気テープカセットに関するものである。
【０００２】
【従来の技術】
近年、磁気記録の高密度化に伴い、磁気テープカセット及びビデオテープレコーダー（以下、ＶＴＲという）がコンパクトになってきている。その結果、ＶＴＲは風景や人物等の撮影取りのように屋外で使用される機会が多くなってきた。そこで、磁気テープカセットも特に屋外使用を考慮し、耐塵埃対策としてテープの前面および裏面をそれぞれ覆う２枚または３枚のリッドから成る開閉蓋が実用化されている。
【０００３】
図３及び図４は、カセット本体前面の開口部を開閉自在に覆う開閉蓋が３枚のリッドで構成される磁気テープカセットの従来例を示したものである。
この磁気テープカセット２０は、前面にＶＴＲ等の装置側のテープ引き出し部材挿入用の開口部２２を形成したカセット本体２４と、該カセット本体２４を構成する上カセットハーフ２４ａ及び下カセットハーフ２４ｂと、下カセットハーフ２４ｂ内に回動自在に配置された一対のリール２３，２５と、この両リール２３，２５に巻回されて前記下カセットハーフ２４ｂの前面に設けられたテープガイドによって前記開口部２２に張架された磁気テープ５と、携帯時等に前記開口部２２に張架されている磁気テープ５が覆われるように前記カセット本体２４の前面側に組み付けられた開閉蓋２７とを備えた構成をなしている。尚、これら上下カセットハーフ２４ａ，２４ｂ間には、磁気テープ５が巻回されたリール２３，２５以外にも種々の部品が収容されるが、図３では、それらの収容部品を省略している。
【０００４】
また、前記開閉蓋２７は、アウターリッド２９とトップリッド３０とインナーリッド３１との３枚のリッドで構成されている。
前記アウターリッド２９は、前記開口部２２に張架された磁気テープ５の前面側を覆う前蓋板２９ａと、この前蓋板２９ａの両側から張り出した側板部２９ｂとを備えている。そして、前記側板部２９ｂの内壁面には支軸ピン２９ｃが突設されており、該支軸ピン２９ｃが上カセットハーフ２４ａの前面寄りの両側面部のピン支持孔３２に回動自在に嵌合支持される。従って、アウターリッド２９は、前記支軸ピン２９ｃを中心に回動可能である。
【０００５】
前記トップリッド３０は、前記開口部２２に張架された磁気テープ５の上方を覆う上蓋板３０ａと、この上蓋板３０ａの前縁側の両端を前記前蓋板２９ａの上端縁に回動自在に連結する前蓋連結部３０ｂと、前記上蓋板３０ａの後端縁から延出したアーム部３０ｃに突設されて上カセットハーフ２４ａの両側面部に形成されている上蓋ガイド溝３３に摺動自在に係合する上蓋スライドピン３０ｄとを備えている。前記前蓋連結部３０ｂは、前蓋板２９ａの上縁両端部に穿設された係止孔２９ｄに嵌入するピンである。
【０００６】
前記トップリッド３０は、前記アウターリッド２９の開蓋時には、前記前蓋連結部３０ｂの支軸ピン２９ｃ回りの旋回移動に伴って、上蓋スライドピン３０ｄが上蓋ガイド溝３３に倣って移動し、カセット本体２４の上面と略平行に、カセット本体２４の後端側に移動する。
前記インナーリッド３１は、前記開口部２２に張架された磁気テープ５の後面側を覆う内蓋板３１ａと、この内蓋板３１ａの上縁を前記上蓋板３０ａに回動自在に連結する上蓋連結部３１ｂと、前記内蓋板３１ａの下縁側両端部から突出してカセット本体２４の内側面部に形成されている内蓋ガイド溝３５に摺動自在に係合する内蓋スライドピン３１ｃとを備えている。前記上蓋連結部３１ｂは、図４に示すように、上蓋板３０ａに突設された支持片３０ｅに回動自在に連結されるピンである。
【０００７】
前記インナーリッド３１は、アウターリッド２９の開蓋時には、前記トップリッド３０の移動に上蓋連結部３１ｂが追従し、該上蓋連結部３１ｂの移動に伴って、内蓋スライドピン３１ｃが内蓋ガイド溝３５上を移動する。即ち、インナーリッド３１はトップリッド３０の開蓋動作に従動して、開口部２２の上方に退避する。
【０００８】
上述の磁気テープカセット２０は、ＶＴＲ装置に装填すると、ＶＴＲ装置側に装備された開蓋ピン（図示せず）によってアウターリッド２９の側板部２９ｂが上方に突き上げられ、その時のアウターリッド２９の開蓋動作に連動して、トップリッド３０及びインナーリッド３１が開蓋動作をする。ＶＴＲ装置から磁気テープカセット２０を取り出す際には、装填時とは逆に、各リッドが閉蓋動作する。
【０００９】
【発明が解決しようとする課題】
ところで、上述したような磁気テープカセット２０においては、トップリッド３０の動作軌跡は前記上蓋ガイド溝３３によって規定されるが、該上蓋ガイド溝３３の摺動面３３ａ，３３ｂと前記トップリッド３０の上蓋スライドピン３０ｄとの間には摺動抵抗となる摩擦力が生じる。
【００１０】
そこで、これら摺動面３３ａ，３３ｂ及び上蓋スライドピン３０ｄの寸法や形状によっては、前記アウターリッド２９の開閉動作に伴う前記上蓋スライドピン３０ｄのスムーズな摺動が妨げられる恐れがあり、開閉蓋２７が開き難くなる可能性がある。例えば、前記上蓋スライドピン３０ｄが摺接する前記摺動面３３ａに対しては、該上蓋スライドピン３０ｄを介して前記前蓋連結部３０ｂからある方向をもった力、いわゆる圧力角θの力が作用するが、該圧力角θの値がある範囲より大きくなると前記上蓋スライドピン３０ｄのスムーズな摺動が妨げられ、その結果、開閉蓋２７が開き難くなることとなる。
従って、本発明の目的は上記課題を解消することに係り、開閉蓋の開閉をスムーズに行うことができる良好な磁気テープカセットを提供することである。
【００１１】
【課題を解決するための手段】
本発明の上記目的は、カセット本体内に磁気テープを巻回して回動自在に取付けられた一対のリールと、前記カセット本体前面の開口部を開閉自在に覆うために取り付けられた開閉蓋とを備えた磁気テープカセットにおいて、
前記開閉蓋が、前記開口部に張架された磁気テープの前面側を覆う前蓋板と前記カセット本体の前面寄りの両側面部に軸支された前記前蓋板の両側から張り出した側板部とを備えたアウターリッドと、前記開口部に張架された磁気テープの上方を覆う上蓋板とこの上蓋板の前縁側の両端を前記前蓋板の上端縁に回動自在に連結する前蓋連結部と前記上蓋板の後端縁から延出したアーム部に突設されてカセット本体の両側面部に形成されている上蓋ガイド溝に摺動自在に係合する上蓋スライドピンとを備えたトップリッドと、前記開口部に張架された磁気テープの後面側を覆う内蓋板とこの内蓋板の上縁を前記上蓋板に回動自在に連結する上蓋連結部と前記内蓋板の下縁側両端部から突出してカセット本体の内側面部に形成されている内蓋ガイド溝に摺動自在に係合する内蓋スライドピンとを備えたインナーリッドとによって構成されており、
前記トップリッドの上蓋スライドピンは、少なくとも前記上蓋ガイド溝の摺動面に対して摺接する部分の断面形状が接触点における該摺動面の法線よりも移動方向前方側に傾斜した法線を有するような自由曲線として形成されていることを特徴とする磁気テープカセットにより達成される。
【００１２】
【発明の実施の形態】
以下、本発明の一実施形態に係る磁気テープカセットを図面に基づいて詳細に説明する。尚、図３に示した従来の磁気テープカセットと同様の構成部分については同符号を付して詳細な説明を省略する。
図１及び図２は、本発明の一実施形態に係る磁気テープカセット１の前部構成を示す側断面図及び要部拡大図であり、カセット本体２４の前部には、アウターリッド２９とトップリッド３とインナーリッド３１との３枚のリッドから成る開閉蓋１０が開閉自在に取り付けられている。
【００１３】
カセット本体２４の前部に露出した磁気テープ５（図示略）の前面を覆う前記アウターリッド２９は、支軸ピン２９ｃが上カセットハーフ２４ａの前面寄りの両側面部のピン支持孔３２に回動自在に嵌合支持され、該支軸ピン２９ｃを中心に回動可能である。
前記トップリッド３は、前記磁気テープ５の上方を覆う上蓋板３ａと、この上蓋板３ａの前縁側の両端を前記前蓋板２９ａの上端縁に回動自在に連結する前蓋連結部３ｂと、前記上蓋板３ａの後端縁から延出したアーム部３ｃに突設されて上カセットハーフ２４ａの両側面部に形成されている上蓋ガイド溝３３に摺動自在に係合する上蓋スライドピン３ｄとを備えている。前記前蓋連結部３ｂは、前蓋板２９ａの上縁両端部に穿設された係止孔２９ｄに嵌入するピンである。
【００１４】
そして、前記トップリッド３は、前記アウターリッド２９の開蓋時には、前記前蓋連結部３ｂの支軸ピン２９ｃ回りの旋回移動に伴って、上蓋スライドピン３ｄが上蓋ガイド溝３３に倣って移動し、カセット本体２４の上面と略平行に、カセット本体２４の後端側に移動する。
更に、本実施形態の磁気テープカセット１によれば、前記トップリッド３の上蓋スライドピン３ｄは、前記ガイド溝３３の摺動面３３ａ，３３ｂに対して摺接する部分の断面形状が接触点における該摺動面３３ａ，３３ｂの各法線よりも移動方向前方側に傾斜した法線を有するような自由曲線として形成された曲面３ｅ，３ｆを介して摺接するように構成されている。
【００１５】
具体的には、図２において二点鎖線で示したように、従来の上蓋スライドピン３０ｄは円形断面を有しているが、本願発明に係る上蓋スライドピン３ｄは断面形状が前記自由曲線を備えた楕円形断面を有するピンとされており、前記摺動面３３ａと従来の円形断面を有するスライドピン３０ｄとが成す法線Ｘよりも移動方向前方側に傾斜した法線Ｙを有している。そして、図１及び図２に示すような最終閉状態の開閉蓋１０において、アウターリッド２９の側板部２９ｂが開蓋ピン（図示せず）によって上方に突き上げられて開蓋動作を開始すると、前記トップリッド３の前蓋連結部３ｂも支軸ピン２９ｃ回りを旋回移動する。
【００１６】
この時、前記トップリッド３の上蓋スライドピン３ｄが接触する前記摺動面３３ａのＡ点に対しては、前記前蓋連結部３ｂの中心から幾何学的に定まるある角度をもった力、いわゆる圧力角θの力（Ｆ）が作用し、該力（Ｆ）は前記上蓋スライドピン３ｄの法線Ｙに対して角度（α）を有している。
そこで、前記摺動面３３ａのＡ点における垂直効力成分を（ＦＮ  ）、静摩擦係数を（μ）とし、前記上蓋スライドピン３ｄを摺動面３３ａに沿って開蓋方向に摺動させる力を（ＦＨ  ）とすると、摺動抵抗となる摩擦力（μＦＮ  ）より（ＦＨ  ）が大きくなった際に上蓋スライドピン３ｄが摺動面３３ａに沿って開蓋方向に摺動する。
【００１７】
従って、ＦＨ  ＞μＦＮ  、
ＦＨ  ＝Ｆ・ｓｉｎ（α）、
ＦＮ  ＝Ｆ・ｃｏｓ（α）、
の各式より、μ＜ｔａｎ（α）となった時に上蓋スライドピン３ｄが摺動面３３ａに沿って開蓋方向に摺動することが解る。
【００１８】
一方、従来の上蓋スライドピン３０ｄは円形断面を有している為、前記摺動面３３ａの接触点における法線は前記摺動面３３ａの法線Ｘと一致している。この為、上蓋スライドピン３０ｄが接触する前記摺動面３３ａのＡ点に対して作用する力（Ｆ）は、前記上蓋スライドピン３０ｄの法線Ｘに対して角度（β）を有している。従って、上蓋スライドピン３０ｄはμ＜ｔａｎ（β）となった時に摺動面３３ａに沿って開蓋方向に摺動することが解る。
【００１９】
即ち、本実施形態における上蓋スライドピン３ｄの法線Ｙに対する力（Ｆ）の角度（α）は、従来の上蓋スライドピン３０ｄの法線Ｘに対する力（Ｆ）の角度（β）よりも大きくなる。従って、前記垂直効力成分ＦＮ  ＝Ｆ・ｃｏｓ（α）は、従来の円形断面を有する上蓋スライドピン３０ｄを用いた場合の垂直効力成分ＦＮ  ＝Ｆ・ｃｏｓ（β）より小さな値となる。そこで、前記上蓋スライドピン３ｄは従来の上蓋スライドピン３０ｄよりも摺動し易くなる。
尚、本発明においては、係る角度（α）自体の角度はスライドピンの大きさ、材質等に応じて適宜設定すれば良い。
【００２０】
このように前記上蓋スライドピン３ｄが楕円形断面を有するピンとされており、前記摺動面３３ａの法線Ｘよりも移動方向前方側に傾斜した法線Ｙを有する曲面３ｅを介して摺接するように形成されていると、前記力（Ｆ）の圧力角θが大きくなる場合にも、前記上蓋スライドピン３ｄは従来の円形断面を有する上蓋スライドピン３０ｄを用いた場合よりスムーズな摺動が可能となるので、開閉蓋１０の開蓋をスムーズに行うことができる。
【００２１】
又、前記開閉蓋１０を閉蓋する際には、前記上蓋スライドピン３ｄが前記ガイド溝３３の摺動面３３ｂに摺接するが、該上蓋スライドピン３ｄは前記摺動面３３ｂの法線よりも移動方向前方側に傾斜した法線を有する曲面３ｆを介して該摺動面３３ｂに摺接する。そこで、開蓋時と同様に上蓋スライドピン３ｄはスムーズな摺動が可能となり、開閉蓋１０の閉蓋をスムーズに行うことができる。
【００２２】
尚、上記実施形態においては、断面形状が自由曲線を有する上蓋スライドピン３ｄとして楕円形断面を有するピンを例にして説明したが、本発明はこれに限定されるものではなく、トップリッドの上蓋スライドピンが、少なくとも上蓋ガイド溝の摺動面に対して摺接する部分の断面形状が接触点における該摺動面の法線よりも移動方向前方側に傾斜した法線を有するような自由曲線として形成されていれば良く、前記自由曲線は楕円形断面を有するピンの周面に沿った曲線に限らず、種々の曲線形状を採りうる。又、前記上蓋ガイド溝の摺動面に摺接しない部分の上蓋スライドピンの形状は、どの様な形状でも良いことは言うまでもない。
【００２３】
【発明の効果】
以上説明したように、本発明の磁気テープカセットによれば、トップリッドの上蓋スライドピンは、上蓋ガイド溝の摺動面に対して摺接する部分の断面形状が接触点における該摺動面の法線よりも移動方向前方側に傾斜した法線を有するような自由曲線として形成された曲面を介して摺接するように形成されているので、前記上蓋スライドピンを介して前蓋連結部と前記上蓋ガイド溝の摺動面との間で作用する力の圧力角が大きくなる場合にも、該上蓋スライドピンはスムーズな摺動が可能となり、開閉蓋の開閉をスムーズに行うことができる良好な磁気テープカセットを提供できる。
【図面の簡単な説明】
【図１】本発明の一実施形態に係る磁気テープカセットの前部構成を示す側断面図である。
【図２】図１に示した磁気テープカセットの要部拡大図である。
【図３】従来の磁気テープカセットにおける開閉蓋とカセット本体の関係を示す分解斜視図である。
【図４】図３に示した磁気テープカセットの前部構成を示す側断面図である。
【符号の説明】
１    磁気テープカセット
３    トップリッド
３ｄ  上蓋スライドピン
３ｅ  曲面
３ｆ  曲面
５    磁気テープ
２９    アウターリッド
３１    インナリッド
３３    ガイド溝
３３ａ  摺動面
３３ｂ  摺動面
【図１】
0003560207.tif 000002
【図２】
0003560207.tif 000003
【図３】
0003560207.tif 000004
【図４】
0003560207.tif 000005